(57)【特許請求の範囲】
【請求項１】
着用者の筋肉に着圧を加えることにより、前記着用者の筋肉の伸縮をサポートする疲労軽減ウェアであって、
当該疲労軽減ウェアは、前記着用者の上半身を被覆する上衣と、前記着用者の下半身を被覆する下衣とを備え、
前記下衣の上端部は、内層部と外層部とを備え、
前記下衣の前記上端部における前記内層部と前記外層部との相互間に、前記上衣の下端部を介装可能とし、
前記下衣は、
前記外層部の上端を前記着用者の腰部に巻付けるための巻付け手段、を備えており、
前記巻付け手段は、
右側突出部及び左側突出部、を備えており、
前記巻付け手段は、前記右側突出部及び前記左側突出部を相互に重ね合わせることにより、前記着用者に巻付けられた状態と、前記右側突出部及び前記左側突出部を相互に引き離すことにより、前記着用者への巻付けが解除された状態とを相互に切り換え可能となっている、
疲労軽減ウェア。
【請求項２】
前記下衣の前記上端部における前記内層部又は前記外層部の少なくとも一方又は両方と、前記上衣の下端部との接触面に、前記内層部又は前記外層部と前記上衣の下端部との摩擦抵抗を増大させる摩擦抵抗増大手段を備える、
請求項１に記載の疲労軽減ウェア。
【請求項３】
前記下衣は、
前記外層部の上端を係脱自在に係止する係止手段であって、前記巻付け手段による巻付けを解除した際に当該外層部の上端が垂下してしまうことを防止する係止手段と、を備える、
請求項１又は２に記載の疲労軽減ウェア。
【請求項４】
前記上衣又は前記下衣の少なくとも一方又は両方は、
前記着用者の筋肉が伸縮する方向に当該筋肉を付勢することによって、前記着用者の筋肉の伸縮をサポートする伸縮手段と、
緩衝材を着脱自在に内部に収容可能な緩衝材収容手段であって、前記伸縮手段に連結されており、前記伸縮手段による前記筋肉の付勢に伴って、内部に収容された前記緩衝材を変形可能とした緩衝材収容手段と、を備える、
請求項１から３のいずれか一項に記載の疲労軽減ウェア。
【請求項５】
前記上衣は、
前記着用者の肘曲げ動作をサポートする肘曲げサポート手段におけるサポートの有無を切り替えるためのサポート切換え手段、を備える、
請求項１から４のいずれか一項に記載の疲労軽減ウェア。
【発明の詳細な説明】
【技術分野】
【０００１】
本発明は、疲労軽減ウェアに関する。
【背景技術】
【０００２】
従来、着用者の筋肉や靭帯に沿う部分に補強部が設けられた衣類であって、着用者の筋肉を保護したり、着用者の身体にかかる負担を軽減したりする衣類が提案されている（例えば、特許文献１参照）。この特許文献１には、着用者の表層筋と深層筋を保護するための上下繋ぎ型の衣類が開示されている。
【先行技術文献】
【特許文献】
【０００３】
【特許文献１】特開２０１０−８４２４７号公報
【発明の概要】
【発明が解決しようとする課題】
【０００４】
しかし、上記のような上下繋ぎ型の衣類は着脱し難いため、排尿や排便に手間や時間を要するという問題があった。特に、このような衣類をアンダーウェアとして着用する場合には、アウターを脱いだ後にさらに当該衣類を脱いで排尿や排便を行う必要があるため、一層手間や時間を要するものだった。そこで、このような問題を解消すべく、上衣と下衣とに分離して構成される上下分離型の衣類として構成する事が考えられる。しかし、このような上下分離型の衣類は、上衣の裾が上方に捲れ上がったり、下衣が下方にずり下がったりし易いため、これら上衣と下衣との間に位置する腰回りの筋肉を好適に保護する事が出来ない可能性があった。
【０００５】
本発明は、上記に鑑みてなされたものであって、着用者の腰回りの筋肉を好適に保護する事が可能な疲労軽減ウェアを提供することを目的とする。
【課題を解決するための手段】
【０００６】
上述した課題を解決し、目的を達成するために、請求項１に記載の疲労軽減ウェアは、着用者の筋肉に着圧を加えることにより、前記着用者の筋肉の伸縮をサポートする疲労軽減ウェアであって、当該疲労軽減ウェアは、前記着用者の上半身を被覆する上衣と、前記着用者の下半身を被覆する下衣とを備え、前記下衣の上端部は、内層部と外層部とを備え、前記下衣の前記上端部における前記内層部と前記外層部との相互間に、前記上衣の下端部を介装可能とし、前記下衣は、前記外層部の上端を前記着用者の腰部に巻付けるための巻付け手段、を備えており、前記巻付け手段は、右側突出部及び左側突出部、を備えており、前記巻付け手段は、前記右側突出部及び前記左側突出部を相互に重ね合わせることにより、前記着用者に巻付けられた状態と、前記右側突出部及び前記左側突出部を相互に引き離すことにより、前記着用者への巻付けが解除された状態とを相互に切り換え可能となっている。
【０００７】
請求項２に記載の疲労軽減ウェアは、請求項１に記載の疲労軽減ウェアにおいて、前記下衣の前記上端部における前記内層部又は前記外層部の少なくとも一方又は両方と、前記上衣の下端部との接触面に、前記内層部又は前記外層部と前記上衣の下端部との摩擦抵抗を増大させる摩擦抵抗増大手段を備える。
【０００８】
請求項３に記載の疲労軽減ウェアは、請求項１又は２に記載の疲労軽減ウェアにおいて、前記下衣は、前記外層部の上端を係脱自在に係止する係止手段であって、前記巻付け手段による巻付けを解除した際に当該外層部の上端が垂下してしまうことを防止する係止手段と、を備える。
【０００９】
請求項４に記載の疲労軽減ウェアは、請求項１から３のいずれか一項に記載の疲労軽減ウェアにおいて、前記上衣又は前記下衣の少なくとも一方又は両方は、前記着用者の筋肉が伸縮する方向に当該筋肉を付勢することによって、前記着用者の筋肉の伸縮をサポートする伸縮手段と、緩衝材を着脱自在に内部に収容可能な緩衝材収容手段であって、前記伸縮手段に連結されており、前記伸縮手段による前記筋肉の付勢に伴って、内部に収容された前記緩衝材を変形可能とした緩衝材収容手段と、を備える。
請求項５に記載の疲労軽減ウェアは、請求項１から４のいずれか一項に記載の疲労軽減ウェアにおいて、前記上衣は、前記着用者の肘曲げ動作をサポートする肘曲げサポート手段におけるサポートの有無を切り替えるためのサポート切換え手段、を備える。
【発明の効果】
【００１０】
請求項１に記載の疲労軽減ウェアによれば、下衣の内層部と外層部との相互間に上衣の下端部を介装するので、上衣の裾が上方に捲れ上がったり、下衣が下方にずり下がったりしてしまう事を防止でき、着用者の腰回りの筋肉を好適に保護する事が可能となる。
【００１１】
請求項２に記載の疲労軽減ウェアによれば、外層部と上衣の下端部との接触面に摩擦抵抗増大手段を備えるので、上衣の裾が上方に捲れ上がったり、下衣が下方にずり下がったりしてしまう事を一層防止できる。
【００１２】
請求項３に記載の疲労軽減ウェアによれば、巻付け手段による巻付けを解除した際に当該外層部の上端が垂下してしまうことを防止する係止手段を備えるので、外層部の上端が不本意に垂下してしまう事を防止でき、排尿又は排便の際や着替えの際における利便性を向上する事が可能となる。
【００１３】
請求項４に記載の疲労軽減ウェアによれば、伸縮手段による筋肉の付勢に伴って、内部に収容された緩衝材を変形させる緩衝材収容手段を備えるので、伸縮手段により筋肉をサポートしつつ緩衝材を着用者の身体に合った形状に変形させる事ができ、緩衝材を着用者の身体に好適に適合させる事が可能となる。
【図面の簡単な説明】
【００１４】
【図１】本発明の実施の形態に係る疲労軽減ウェアの着用者を概略的に示す図であって、図１（ａ）は上半身前面、図１（ｂ）は下半身前面の巻付け時、図１（ｃ）は下半身前面の巻付け解除時を示す図である。
【図２】疲労軽減ウェアの着用者を概略的に示す図であって、図２（ａ）は上半身後面、図２（ｂ）は下半身後面の巻付け時、図２（ｃ）は下半身後面の巻付け解除時を示す図である。
【図３】図１のＡ部の拡大図である。
【図４】図１のＢ部の拡大図である。
【図５】疲労軽減ウェアの着用者を示す側面図であって、図５（ａ）は手順１、図５（ｂ）は手順２、図５（ｃ）は手順３に係る着用者を示す図である。
【図６】巻付け部を仮止めした状態の着用者を示す側面拡大図である。
【図７】変形例に係る疲労軽減ウェアの着用者を示す図であり、図７（ａ）は上半身前面、図７（ｂ）は上半身後面を示す図である。
【発明を実施するための形態】
【００１５】
以下、本発明に係る疲労軽減ウェアの実施の形態について図面を参照しつつ詳細に説明する。ただし、この実施の形態によって本発明が限定されるものではない。
【００１６】
［実施の形態の基本的概念］
まずは、本実施の形態の基本的概念について説明する。本実施の形態は、概略的に、着用者の筋肉に着圧を加えることにより、着用者の筋肉の伸縮をサポートする疲労軽減ウェアに関するものである。ここで、当該疲労軽減ウェアの利用目的は任意であり、例えばスポーツ等にも利用することが可能であるが、本実施の形態においては、建設現場にて作業を行う者（以下、「作業員」と称する）が作業時にアンダーウェアとして着用するものとして説明する。ただし、アンダーウェアとしてではなく、当該疲労軽減ウェアのみを着用して作業を行っても当然構わない。また、作業員としては、鳶工、型枠大工、鉄筋工、ボード工、土工、及左官工を含むものとして説明するが、その他任意の作業員についても適用することが可能である。なお、これらの各作業員が行う具体的な作業の内容については公知であるため、その詳細な説明を省略する。また、「筋肉」とは、筋腹だけでなく、筋腹の両端部と骨とを接続する付根部分（腱）をも含む概念である。
【００１７】
また、当該疲労軽減ウェアを着用する作業員の性別は問わないが、本実施の形態においては、女性であるものとして説明する。すなわち、女性は男性と比較して骨盤が大きいため、疲労軽減ウェアを着用した際に、上衣の裾が上方に捲れ上がったり、下衣が下方にずり下がったり、又は筋肉をサポートする弾性素材が身体から離れてしまったりする可能性が高く、十分なサポートを得る事が出来ない可能性が高かった。そこで、本実施の形態に係る疲労軽減ウェアは、女性に対しても好適なサポートの実現を図ったものである。ただし、男性が着用しても構わない。
【００１８】
［実施の形態の具体的内容］
次に、本実施の形態の具体的内容について説明する。
【００１９】
本実施の形態に係る疲労軽減ウェアは、肩や背中や腰の筋肉に負担が掛る作業を行う者に特に適したウェアである。
【００２０】
（構成）
最初に、本実施の形態に係る疲労軽減ウェア１の構成を説明する。図１は、本実施の形態に係る疲労軽減ウェア１の着用者２を概略的に示す図であって、図１（ａ）は上半身前面、図１（ｂ）は下半身前面の巻付け時、図１（ｃ）は下半身前面の巻付け解除時を示す図である。また、図２は、疲労軽減ウェア１の着用者２を概略的に示す図であって、図２（ａ）は上半身後面、図２（ｂ）は下半身後面の巻付け時、図２（ｃ）は下半身後面の巻付け解除時を示す図である。なお、「巻付け時」とは、後述する巻付け部４１を着用者２の腰部に巻付けている状態であり、「巻付け解除時」とは、巻付け部４１による巻付けを解除した状態である。なお、実際には、巻付け解除時においては巻付け部４１の自重によって巻付け部４１が垂れ下がるが、図１（ｃ）及び図２（ｃ）においては、この自重を考慮せず、巻付け部４１を左右に広げて保持した状態を図示したものである。
【００２１】
ここで、図１及び図２に示すように、本実施の形態に係る疲労軽減ウェア１は、着用者２の上半身を被覆する上衣１０と、着用者２の下半身を被覆する下衣２０とに分割構成されている。なお、本実施の形態においては、上衣１０は十分袖の衣類であり、下衣２０は十分丈の衣類であるものとする。また、以下では、疲労軽減ウェア１における各位置から見て、着用者２の身体の中央に近い位置を「内側」、着用者２の身体の中央から遠い位置を「外側」と称する。
【００２２】
ここで、上衣１０は、上半身被覆部１１、肩ポケット１２、メッシュ部１３、肘曲げサポート部１４、前屈みサポート部１５、及び上半身接続部１６を備えて構成されており、このうち上半身被覆部１１、メッシュ部１３、及び肘曲げサポート部１４は相互に重複することなく縫合され、上半身を覆う衣類として一体に形成されている。また、前屈みサポート部１５及び上半身接続部１６は相互に重畳することなく縫合されており、これらの前屈みサポート部１５及び上半身接続部１６は、背中部における上半身被覆部１１の外側に重畳するように配置されている。すなわち、前屈みサポート部１５及び上半身接続部１６は、着用者２の地肌に直接触れないようになっており、直接触れる場合と比べて着心地を向上させる事ができる。
【００２３】
また、下衣２０の上端部には、内層部３０と外層部４０が備えられており、これらの内層部３０と外層部４０は、相互に重畳可能に形成されている。また、当該下衣２０の上端部における内層部３０と外層部４０との相互間に、上衣１０の下端部を介装可能となっている。ここで、内層部３０は、下衣２０における内側に位置する部分であり、下半身被覆部３１、膝ポケット３２、ポンプサポート部３３、及び係止部３４を備えて構成されており、このうち下半身被覆部３１とポンプサポート部３３は相互に重畳することなく縫合され、下半身を覆う衣類として一体に形成されている。また、外層部４０は、下衣２０における外側に位置する部分であり、巻付け部４１、及び下半身接続部４２を備えて構成されている。
【００２４】
（構成−上衣）
まずは、上衣１０の構成について説明する。なお、着用者２は上衣１０を地肌の上から直接着用するものとして説明する。
【００２５】
（構成−上衣−上半身被覆部）
上半身被覆部１１は、上半身のうち頭、首、及び手先を除く部分を略被覆する上半身被覆手段である。この上半身被覆部１１は、着用者２の上半身に適度な着圧を加えることにより、上半身の深層筋をサポートする。ここで、この上半身被覆部１１は、上衣１０における上述したメッシュ部１３、及び肘曲げサポート部１４を除く、上半身を覆う位置に形成され、これらの各部と相互に縫合されている。また、この上半身被覆部１１の背面における外側には前屈みサポート部１５及び上半身接続部１６が縫合されて取り付けられている。なお、この上半身被覆部１１の形状は、着用者２の身長や体格等に応じて適切な形状を適用することができ、図示のものに限られない。また、この上半身被覆部１１は、適度な着心地を確保可能な伸縮素材（例えばナイロンやポリウレタン等）にて形成されており、着用者２の上半身に密着する。なお、「伸縮素材」とは、少なくとも伸縮可能な素材であって、その伸び率の高低は問わない。また、「伸び率」とは、「ＪＩＳ  Ｌ  １０１８」に規定される定荷重法に準拠して測定された定荷重時伸び率（％）のことをいう。
【００２６】
（構成−上衣−肩ポケット）
肩ポケット１２は、緩衝材１２ａ（例えば、肩パット）を着脱自在に内部に収容可能な緩衝材収容手段である。図３は、図１のＡ部の拡大図である。この図３に示すように、肩ポケット１２は、上半身被覆部１１における左右両方の肩に形成されたポケットであり、具体的に、各肩ポケット１２は、上腕の中間から鎖骨辺りにかけて形成されている。
【００２７】
この肩ポケット１２は、緩衝材１２ａを収容可能な限り任意の形状及び構造に形成できるが、本実施の形態においては、上半身被覆部１１と同一素材の布を、上半身被覆部１１の外表面に対して開口部を残して縫合することにより、袋状に形成されている。このような肩ポケット１２に緩衝材１２ａを収容することにより、緩衝材１２ａが着用者２の肩全体を覆うので、着用者２の肩に荷重が掛る際（例えば、着用者２が肩に物を乗せて運搬する際）に、肩に掛る荷重を分散させて負担を軽減する事が可能となる。なお、緩衝材１２ａは容易に肩ポケット１２の内部から着脱できるため、緩衝材１２ａの洗濯や交換を容易に行う事ができる。また、この緩衝材１２ａは収容時には外部から見えないので、緩衝材１２ａに香料等を染み込ませる事により、香料を上半身被覆部１１に直接染み込ませた場合と比べて香料の染みを外部から見え難くする事が可能となる。
【００２８】
また、当該肩ポケット１２は、前屈みサポート部１５による筋肉の付勢に伴って、内部に収容された緩衝材１２ａを変形可能とした緩衝材収容手段である。すなわち、前屈みサポート部１５の上端が当該肩ポケット１２に連結されているので、前屈みサポート部１５により肩ポケット１２が引っ張られ、肩ポケット１２の内部に収容された緩衝材１２ａを肩の形状に沿った形に変形させる事ができる。したがって、当該肩ポケット１２の内部に収容する緩衝材１２ａは、当該肩ポケット１２の形状に応じて形成された専用の肩パットに限らず、それ以外の任意の物（例えばタオル等の布）を用いても良い。
【００２９】
（構成−上衣−メッシュ部）
図１及び図２に戻り、メッシュ部１３は、上衣１０の通気性を向上させることにより、着用者２の着心地を向上させるための通気性向上手段である。このメッシュ部１３を形成する位置は任意であり、通気性の向上を要する任意の位置に形成することができるが、本実施の形態においては、横腹、及び脇にかけた一帯に形成されている。ただし、腕回りや胸部や肩口に当該メッシュ部１３を形成しても構わないし、上衣１０だけでなく下衣２０にもメッシュ部１３を形成しても構わない。ここで、メッシュ部１３の具体的な構成は任意であるが、例えば上半身被覆部１１よりも高い通気性を有するような、目の大きさ、使用する糸の種類や太さ、又は編み方にて形成することが好ましい。
【００３０】
（構成−上衣−肘曲げサポート部）
肘曲げサポート部１４は、着用者２の上腕二頭筋及び橈側手根屈筋を、着用者２の肘が曲がる方向に付勢することにより、着用者２の肘曲げ動作をサポートする肘曲げサポート手段である。この肘曲げサポート部１４は、上衣１０の脇近傍から内手首に至るように設けられた、少なくとも上半身被覆部１１以上の収縮力を有する素材の帯状体として構成されている。
【００３１】
ここで、この肘曲げサポート部１４は、図示しない指挿通孔を備えても良い。この指挿通孔は、肘曲げサポート部１４におけるサポートの有無を切り替えるためのサポート切換え手段である。具体的には、指挿通孔は、上衣１０の裾近傍に形成された、上衣１０の表地から裏地にかけて貫通するように形成された直径３ｃｍ程度の孔である。すなわち、着用者２が親指を当該指挿通孔に挿通することで肘曲げサポート部１４によって着用者２の親指が引っ張られ、このことによって着用者２の肘関節が曲がる方向に肘が付勢され、着用者２の肘曲げ動作の負担を低減させることが可能となる。また、着用者２が指挿通孔から親指を抜くことで、着用者２の肘の筋肉が曲がる方向に肘が付勢されなくなる。したがって、着用者２は作業内容に応じて親指を指挿通孔に挿通させたり抜いたりすることで、容易にサポートの有無を切り替えることができ、作業内容に応じたサポートを受けることが可能となる。
【００３２】
（構成−上衣−前屈みサポート部）
前屈みサポート部１５は、着用者２の筋肉の伸縮をサポートする伸縮手段の一つであって、特に着用者２が前屈みする動作をサポートするための前屈みサポート手段である。この前屈みサポート部１５は、上衣１０の背面における、上半身被覆部１１や、メッシュ部１３よりも外側の位置に、右肩甲骨付近、左肩甲骨付近、及び腰部付近の三か所にて上半身被覆部１１に縫合されて取り付けられている。ここで、この前屈みサポート部１５は略Ｔ字状の帯状体として形成されており、少なくとも上半身被覆部１１以上の収縮力を有する素材にて形成されている。
【００３３】
ここで、このように前屈みサポート部１５を設けることにより、まずは脊柱起立筋のサポートが可能となる。すなわち、肩甲骨付近から腰部にかけて引っ張る付勢力が加わることにより、胸椎が反り返るため着用者２が猫背になってしまうことを防止でき、着用者２の姿勢を改善して脊柱起立筋に過度の負担が掛ることを防止できる。さらに、前屈み時には反り返る力が大きく働くため、腰痛等を防止することも可能である。また、この前屈みサポート部１５によって僧帽筋のサポートが可能となる。すなわち、上記のように着用者２の姿勢を改善することにより肩関節の可動域を広くすることができ、これにより僧帽筋に過度の負担が掛ることを防止できる。
【００３４】
（構成−上衣−上半身接続部）
上半身接続部１６は、上衣１０と下衣２０とを相互に接続して、上衣１０に設けられた前屈みサポート部１５による伸縮力を着用者２の下半身に伝達するための伸縮力伝達手段であって、下衣２０の上端部における外層部４０と、上衣１０の下端部との接触面に設けられ、下衣２０の上端部における外層部４０と、上衣１０の下端部との摩擦抵抗を増大させる摩擦抵抗増大手段である。具体的に、この上半身接続部１６は、前屈みサポート部１５の左右両側方に分割されて縫合されている。ここで、この上半身接続部１６は、上下に長い略半円形状の布地として形成されており、下半身接続部４２と同様にエナメル素材の如き摩擦抵抗の大きい素材にて形成されている。ここで、着用者２が上衣１０及び下衣２０を着用した際には、下衣２０の巻付け部４１が上衣１０の下端部（すなわち腰部近傍）を外側から覆う形となり、このことによって、上衣１０に外側向きで取り付けられた上半身接続部１６と、下衣２０に内側向きで取り付けられた下半身接続部４２とが相互に当接する。そして、上半身接続部１６と下半身接続部４２との相互に作用する摩擦力によって上衣１０と下衣２０とが相互にずれてしまうことを防止できる。このことにより、上衣１０及び下衣２０を着用者２に一層密着させることができると共に、上衣１０の前屈みサポート部１５による伸縮力を上半身接続部１６及び下半身接続部４２を介して下衣２０に伝達させることができる。
【００３５】
（構成−下衣）
続いて、下衣２０の構成について説明する。なお、着用者２は地肌の上に下着を着用し、その上から当該下衣２０を着用するものとして説明する。
【００３６】
（構成−下衣−内層部−下半身被覆部）
下半身被覆部３１は、下半身のうち足先を除く部分を略被覆する下半身被覆手段である。この下半身被覆部３１は、着用者２の下半身に適度な着圧を加えることにより、下半身の深層筋をサポートする。ここで、この下半身被覆部３１は、下衣２０の内層部３０における上述したポンプサポート部３３を除く位置に形成されており、ポンプサポート部３３と相互に縫合されている。また、当該下半身被覆部３１の背面における外側には巻付け部４１が縫合されて取り付けられている。なお、この下半身被覆部３１の形状は、着用者２の身長や体格等に応じて適切な形状を適用することができ、図示のものに限られない。また、この下半身被覆部３１は、適度な着心地を確保可能な伸縮素材（例えばナイロンやポリウレタン等）にて形成されており、着用者２の下半身に密着する。
【００３７】
（構成−下衣−内層部−膝ポケット）
膝ポケット３２は、緩衝材３２ａ（例えば、膝パット）を着脱自在に内部に収容可能な緩衝材収容手段である。図４は、図１のＢ部の拡大図である。この図４に示すように、膝ポケット３２は、下半身被覆部３１における左右両方の膝に形成されたポケットであり、具体的に、各膝ポケット３２は、膝蓋骨を覆うように形成されている。
【００３８】
この膝ポケット３２は、緩衝材３２ａを収容可能な限り任意の形状及び構造に形成できるが、本実施の形態においては、下半身被覆部３１と同一素材の布を、下半身被覆部３１の外表面に対して開口部を残して縫合することにより、袋状に形成されている。このような膝ポケット３２に緩衝材３２ａを収容することにより、緩衝材３２ａが着用者２の膝全体を覆うので、着用者２の膝に荷重が掛る際（例えば、着用者２が膝を立てた状態で作業する際）に、膝に掛る荷重を分散させて負担を軽減する事が可能となる。また、緩衝材３２ａは容易に膝ポケット３２の内部から着脱する事ができるので、緩衝材３２ａの洗濯や交換を容易に行う事ができる。また、この緩衝材３２ａは収容時には外部から見えないので、緩衝材３２ａに香料等を染み込ませる事により、香料を下半身被覆部３１に直接染み込ませた場合と比べて香料の染みを外部から見え難くする事が可能となる。
【００３９】
なお、緩衝材３２ａとしては、当該膝ポケット３２の形状に応じて形成された専用の膝パットを用いても構わないし、それ以外の任意の物（例えばタオル等の布）を用いても良い。また、当該膝ポケット３２にも、肩ポケット１２と同様に、内部に収容された緩衝材３２ａを変形させる伸縮手段を連結させても構わない。
【００４０】
（構成−下衣−内層部−ポンプサポート部）
図１及び図２に戻り、ポンプサポート部３３は、着用者２の下腿筋のポンプ作用を促進させるポンプサポート手段である。このポンプサポート部３３は、具体的な位置は任意であるが、本実施の形態においては、図１（ｂ）及び図２（ｂ）にて点線で示す位置に、着用者２の腓腹筋を覆うように配置されている。なお、このポンプサポート部３３は、下半身被覆部３１以上の収縮力を有する素材にて形成されている。
【００４１】
（構成−下衣−内層部−係止部）
係止部３４は、外層部４０の上端を係脱自在に係止する係止手段であって、巻付け部４１による巻付けを解除した際に外層部４０の上端が垂下してしまうことを防止する係止手段である。この係止部３４は、下半身被覆部３１における着用者２の大腿部付け根に対応する位置に設けられており、概略的に、右側係止部３４ａ及び左側係止部３４ｂを備えている。右側係止部３４ａは、後述する巻付け部４１の右側突出部４１ａを係止する部分であり、面ファスナーのループ面として形成されている。また、左側係止部３４ｂは、後述する巻付け部４１の左側突出部４１ｂを係止する部分であり、面ファスナーのフック面として形成されている。これらの係止部３４により巻付け部４１を係止する具体的な方法については後述する。
【００４２】
（構成−下衣−外層部−巻付け部）
巻付け部４１は、外層部４０の上端を着用者２の腰部に巻付けるための巻付け手段であって、上衣１０と下衣２０とを強固に接続すると共に、着用者２の迅速かつ容易な排尿及び排便を可能とするための手段である。
【００４３】
この巻付け部４１は、概略的に、下衣２０における外層部４０の上端に設けられており、巻付け部４１は概略的に右側突出部４１ａ及び左側突出部４１ｂを備えている。右側突出部４１ａは下衣２０における外層部４０の上端のうち右側を構成する部分であり、着用者２に巻付いた状態では下衣２０の右の腰上から臍辺りまで突出している。そして、この右側突出部４１ａの突出側端部の内面には、一帯に渡って面ファスナーのフック面４１ｃ（図１（ｃ）参照）が設けられている。また、左側突出部４１ｂは下衣２０における外層部４０の上端のうち左側を構成する部分であり、着用者２に巻付いた状態では下衣２０の左の腰上から臍辺りまで突出している。そして、この左側突出部４１ｂの突出側端部の外面には、一帯に渡って面ファスナーのループ面４１ｄ（図２（ｃ）参照）が設けられている。
【００４４】
ここで、これらの右側突出部４１ａ及び左側突出部４１ｂには、右側突出部４１ａと左側突出部４１ｂとを腰の後ろを介して接続する弾性部材４１ｅであって、少なくとも下半身被覆部３１以上の収縮力を有する弾性部材４１ｅが取り付けられている。この弾性部材４１ｅは任意に構成でき、例えば下半身被覆部３１以上の収縮力を有する素材（例えば、ゴムの如き任意の弾性材）で形成しても構わないが、本実施の形態においては、下半身被覆部３１と同一の素材を二重に重ね合わせて構成している。このように、下半身被覆部３１と同一の素材を用いて弾性部材４１ｅを形成することにより、弾性部材４１ｅとして別個の素材を設ける必要がなく、弾性部材４１ｅのコストを低減する事が可能となる。
【００４５】
これらの右側突出部４１ａ及び左側突出部４１ｂは任意の方法で相互に付け外し可能となっており、このことにより、巻付け部４１を着用者２に巻付けた状態と、当該巻付けを解除した状態とに相互に切り換えることができる。以下では、巻付け部４１を巻付ける具体的な方法、及び巻付けを解除する具体的な方法について説明する。
【００４６】
まず、巻付け部４１を着用者２に巻付けた状態とするには、右側突出部４１ａ及び左側突出部４１ｂをそれぞれ離れる方向に引っ張って上述した弾性部材４１ｅを伸ばした状態で巻付け部４１を着用者２の腰部に巻付け、この状態で右側突出部４１ａのフック面と、左側突出部４１ｂのループ面とを相互に重ね合わせる。このことにより、弾性部材４１ｅが元に戻ろうとする力によって右側突出部４１ａ及び左側突出部４１ｂを着用者２の腰部に密着させつつ、フック面とループ面を接着して巻付けが完了する。
【００４７】
また、このように巻付け部４１を着用者２に巻付けた状態において、右側突出部４１ａのフック面と、左側突出部４１ｂのループ面とを相互に引き剥がすことにより、下衣２０の上端の自重により下衣２０の上端部が後方向に垂下し、下衣２０の内層部３０における臀部付近が露出する。
【００４８】
（構成−下衣−外層部−下半身接続部）
下半身接続部４２は、上衣１０と下衣２０とを相互に接続して前屈みサポート部１５による伸縮力を着用者２の下半身に伝達するための伸縮力伝達手段であって、下衣２０の上端部における外層部４０と、上衣１０の下端部との接触面に設けられ、下衣２０の上端部における外層部４０と、上衣１０の下端部との摩擦抵抗を増大させる摩擦抵抗増大手段である。具体的に、この下半身接続部４２は、巻付け部４１の内面の上縁に沿って取り付けられた長方形状の布地であって、上半身接続部１６と同様にエナメル素材の如き摩擦抵抗の大きい素材にて形成されている。そして、上半身接続部１６の説明にて記述したように、着用者２が上衣１０及び下衣２０を着用した際に上衣１０と下衣２０とが相互にずれてしまうことを防止し、上衣１０及び下衣２０を着用者２により密着させることが可能となる。
【００４９】
（着用方法）
続いて、本実施の形態に係る疲労軽減ウェア１の着用方法について説明する。図５は、疲労軽減ウェア１の着用者２を示す側面図であって、図５（ａ）は手順１、図５（ｂ）は手順２、図５（ｃ）は手順３に係る着用者２を示す図である。
【００５０】
まずは、図５（ａ）の手順１に示すように、下衣２０を着用する。このように下衣２０を着用する具体的な方法は自明であるため、詳細な説明を省略する。ここで、本実施の形態においては、巻付け部４１が係止部３４に係止されていない状態で下衣２０を着用するものとして図示しているが、巻付け部４１が係止部３４に係止されている状態で着用しても構わない。このような状態とする事で、より下衣２０の着用をスムーズに行う事ができると共に、後述する手順３にて巻付け部４１の巻付けを極めて容易に行う事が可能となる。
【００５１】
次に、図５（ｂ）の手順２に示すように、上衣１０を着用する。この際に、上衣１０の下端部で下衣２０の内層部３０を覆うように、上衣１０を着用する。この段階においては、上衣１０の下端部は下衣２０の内層部３０に対して固定されておらず、上方に捲りあげられてしまう可能性があり、前屈みサポート部１５による十分なサポートを得られない可能性がある。
【００５２】
最後に、図５（ｃ）の手順３に示すように、下衣２０の外層部４０に形成された巻付け部４１によって、上衣１０の下端部を外側から覆うように巻付けを行う。具体的には、巻付け部４１の右側突出部４１ａ及び左側突出部４１ｂをそれぞれ離れる方向に引っ張って上述した弾性部材４１ｅを伸ばした状態で巻付け部４１を着用者２の腰部に巻付け、この状態で右側突出部４１ａのフック面４１ｃと、左側突出部４１ｂのループ面４１ｄ（いずれも、図５において図示省略）とを相互に重ね合わせる。このことにより、弾性部材４１ｅが元に戻ろうとする力によって右側突出部４１ａ及び左側突出部４１ｂを着用者２の腰部に密着させつつ、フック面４１ｃとループ面４１ｄを接着して巻付けが完了する。このことにより、上衣１０に対して外側向きに取り付けられた上半身接続部１６と、下衣２０の巻付け部４１に対して内側向きに取り付けられた下半身接続部４２とが接触し、これらの相互間に作用する摩擦抵抗により、上衣１０と下衣２０とが相互にずれてしまう事を防止できる。
【００５３】
（仮止め方法）
次に、仮止め方法について説明する。この仮止め方法は、巻付け部４１を係止部３４に仮止めする方法であって、着用者２の任意のタイミングで行われる。例えば、排尿時や排便時のように、巻付けを解除して巻付け部４１が垂下してしまっていると、巻付け部４１が便器について汚れてしまう可能性がある場合や、疲労軽減ウェア１の着脱時のように、巻付け部４１が垂下してしまっていると、着脱し難い場合等に行われる。なお、本実施の形態においては、巻付け部４１を腰部に巻付けた状態から、仮止めする場合についての手順を説明するが、巻付け部４１が垂下した状態から仮止めする場合についても同様の手順で行う事ができる。
【００５４】
図６は、巻付け部４１を仮止めした状態の着用者２を示す側面拡大図である。この図６に示すように、着用者２は、巻付け部４１の右側突出部４１ａを右側係止部３４ａに取り付け、左側突出部４１ｂを左側係止部３４ｂに取り付ける。具体的には、初めに、右側突出部４１ａ及び左側突出部４１ｂをそれぞれ離れる方向に引っ張って右側突出部４１ａのフック面４１ｃと左側突出部４１ｂのループ面４１ｄ（いずれも、図６において図示省略）との接着を解除する。次に、右側突出部４１ａの内側の面に設けられたフック面４１ｃと、右側係止部３４ａ（ループ面）を相互に重ね合わせる。同様に、左側突出部４１ｂの外側の面に設けられたループ面４１ｄと、左側係止部３４ｂ（フック面）を相互に重ね合わせて仮止めする。この際に、ループ面４１ｄは左側突出部４１ｂの外側の面に設けられているため、図６に示すように左側突出部４１ｂを半回転させてループ面４１ｄを内側に向けることにより、好適に仮止めする事ができる。
【００５５】
（実施の形態の効果）
このように、本実施の形態に係る疲労軽減ウェア１によれば、下衣２０の内層部３０と外層部４０との相互間に上衣１０の下端部を介装するので、上衣１０の裾が上方に捲れ上がったり、下衣２０が下方にずり下がったりしてしまう事を防止でき、着用者２の腰回りの筋肉を好適に保護する事が可能となる。
【００５６】
また、外層部４０と上衣１０の下端部との接触面に上半身接続部１６及び下半身接続部４２を備えるので、上衣１０の裾が上方に捲れ上がったり、下衣２０が下方にずり下がったりしてしまう事を一層防止できる。
【００５７】
また、巻付け部４１による巻付けを解除した際に当該外層部４０の上端が垂下してしまうことを防止する係止部３４を備えるので、外層部４０の上端が不本意に垂下してしまう事を防止でき、排尿又は排便の際や着替えの際における利便性を向上する事が可能となる。
【００５８】
また、前屈みサポート部１５による筋肉の付勢に伴って、内部に収容された緩衝材１２ａ、３２ａを変形させる肩ポケット１２及び膝ポケット３２を備えるので、前屈みサポート部１５により筋肉をサポートしつつ緩衝材１２ａ、３２ａを着用者２の身体に合った形状に変形させる事ができ、緩衝材１２ａ、３２ａを着用者２の身体に好適に適合させる事が可能となる。
【００５９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、実施の形態に係る疲労軽減ウェア１によって着用者２の腰回りの筋肉を好適に保護する事が出来ない場合であっても、従来と異なる技術により着用者２の筋肉を保護出来ている場合には、本願発明の課題が解決されている。
【００６１】
（寸法や材料について）
発明の詳細な説明や図面で説明した疲労軽減ウェア１の各部の寸法、形状、比率等は、あくまで例示であり、その他の任意の寸法、形状、比率等とすることができる。
【００６２】
（上衣及び下衣について）
上衣１０の袖丈の長さや、下衣２０の着丈の長さは任意であり、図示のものに限られず、例えば上衣１０を半袖や七分袖に形成しても良いし、下衣２０を五分丈や七分丈に形成しても良い。
【００６３】
また、上衣１０は地肌の上から直接着用するものとして説明したが、これに限らず、地肌の上に肌着を着て、その上から疲労軽減ウェア１を着用しても構わない。また、下衣２０は下着の上から着用するものとして説明したが、これに限らず地肌の上から直接疲労軽減ウェア１を着用しても構わない。
【００６４】
（上半身接続部及び下半身接続部について）
本実施の形態においては、下衣２０の上端部における外層部４０と、上衣１０の下端部との接触面に、上半身接続部１６及び下半身接続部４２を設けるものとして説明したが、上衣１０と下衣２０とを接続可能な限り、これに限られない。例えば、下衣２０の上端部における内層部３０と、上衣１０の下端部との接触面に、上半身接続部１６及び下半身接続部４２を設けるものとしても構わないし、下衣２０の上端部における内層部３０及び外層部４０の両方と、上衣１０の下端部との接触面に、上半身接続部１６及び下半身接続部４２を設けるものとしても構わない。
【００６５】
実施の形態においては、上半身接続部１６及び下半身接続部４２はいずれもエナメル素材にて形成されており、このエナメル素材の摩擦力にて上衣１０と下衣２０とを相互に接続するものとして説明したが、その他の手段にて接続しても構わず、例えば上半身接続部１６及び下半身接続部４２は、相互に取り付け及び取り外し可能な公知の面ファスナーとして構成されていても構わない。また、例えば、上半身接続部１６や下半身接続部４２を、上衣１０の下端部や下衣２０の上端部に設けられた弾性材（例えば、ゴム）として構成しても良く、当該弾性材により身体を締め付けることにより、上衣１０と下衣２０とを接続しても良い。
【００６６】
（巻付け部について）
実施の形態においては、巻付け部４１は公知の面ファスナーを用いたものとして説明したが、これに限られない。例えば、右側突出部４１ａ及び左側突出部４１ｂのいずれか一方にボタンを設け、いずれか他方にボタンホールを設けることにより、右側突出部４１ａ及び左側突出部４１ｂを相互に付け外し可能としても良い。
【００６７】
（伸縮手段について）
本実施の形態においては、伸縮手段として、前屈みサポート部１５を設けるものとして説明したが、これに限られない。図７は、変形例に係る疲労軽減ウェア５０の着用者２を示す図であり、図７（ａ）は上半身前面、図７（ｂ）は上半身後面を示す図である。なお、下衣２０については実施の形態と同様に構成されるため、図示及び説明を省略する。この図７に示すように、本変形例に係る疲労軽減ウェア５０の上衣１０は、伸縮手段として、腕上げサポート部５１を備えている。この腕上げサポート部５１は、概略的に、右腕サポート部５１ａと、左腕サポート部５１ｂとに分割構成されている。
【００６８】
右腕サポート部５１ａは、着用者２の右腕の腕上げ動作をサポートする右腕サポート手段である。ここで、この右腕サポート部５１ａは、上衣１０における上半身被覆部１１や、メッシュ部１３よりも外側の位置に、上衣１０の右肩甲骨辺りから、上衣１０の背中を介して、上衣１０の左腰骨に至るように、上衣１０に巻き付く形で取り付けられた帯状体である。なお、右腕サポート部５１ａは少なくとも上半身被覆部１１以上の収縮力を有する素材にて形成されている。
【００６９】
左腕サポート部５１ｂは、着用者２の右腕の腕上げ動作をサポートする左腕サポート手段である。なお、この左腕サポート部５１ｂは、上述した右腕サポート部５１ａと左右対称に構成することができるため、詳細な説明を省略する。なお、図２（ｂ）に示すように、右腕サポート部５１ａと左腕サポート部５１ｂとは、上衣１０の背中辺りで左腕サポート部５１ｂが外側に位置するように交差しているが、どちらを外側に配置しても構わない。
【００７０】
また、実施の形態に係る疲労軽減ウェア１と当該変形例に係る疲労軽減ウェア５０は適宜組み合わせてよく、例えば実施の形態に係る前屈みサポート部１５と当該変形例に係る腕上げサポート部５１とを一体に備えてウェアを構成しても構わない。また、実施の形態に係る前屈みサポート部１５と当該変形例に係る腕上げサポート部５１とをいずれも省略してウェアを構成しても構わない。
【００７１】
（上半身接続部及び下半身接続部について）
本実施の形態においては、下衣２０の上端部における外層部４０と、上衣１０の下端部との接触面に、上半身接続部１６及び下半身接続部４２を設けるものとして説明したが、上衣１０と下衣２０とを接続可能な限り、これに限られない。例えば、下衣２０の上端部における内層部３０と、上衣１０の下端部との接触面に、上半身接続部１６及び下半身接続部４２を設けるものとしても構わないし、下衣２０の上端部における内層部３０及び外層部４０の両方と、上衣１０の下端部との接触面に、上半身接続部１６及び下半身接続部４２を設けるものとしても構わない。
【００７２】
また、本実施の形態においては、上半身接続部１６及び下半身接続部４２は、いずれもエナメル素材として形成したが、これに限られない。例えば、上半身接続部１６や下半身接続部４２を、上衣１０の下端部や下衣２０の上端部に設けられた弾性材（例えば、ゴム）として構成しても良く、当該弾性材により身体を締め付けることにより、上衣１０と下衣２０とを接続しても良い。
【００７３】
（付記）
付記１の疲労軽減ウェアは、着用者の筋肉に着圧を加えることにより、前記着用者の筋肉の伸縮をサポートする疲労軽減ウェアであって、当該疲労軽減ウェアは、前記着用者の上半身を被覆する上衣と、前記着用者の下半身を被覆する下衣とを備え、前記下衣の上端部は、内層部と外層部とを備え、前記下衣の前記上端部における前記内層部と前記外層部との相互間に、前記上衣の下端部を介装可能とした。
【００７４】
付記２の疲労軽減ウェアは、付記１に記載の疲労軽減ウェアにおいて、前記下衣の前記上端部における前記内層部又は前記外層部の少なくとも一方又は両方と、前記上衣の下端部との接触面に、前記内層部又は前記外層部と前記上衣の下端部との摩擦抵抗を増大させる摩擦抵抗増大手段を備える。
【００７５】
付記３の疲労軽減ウェアは、付記１又は２に記載の疲労軽減ウェアにおいて、前記下衣は、前記外層部の上端を前記着用者の腰部に巻付けるための巻付け手段と、前記外層部の上端を係脱自在に係止する係止手段であって、前記巻付け手段による巻付けを解除した際に当該外層部の上端が垂下してしまうことを防止する係止手段と、を備える。
【００７６】
付記４の疲労軽減ウェアは、付記１から３のいずれか一項に記載の疲労軽減ウェアにおいて、前記上衣又は前記下衣の少なくとも一方又は両方は、前記着用者の筋肉が伸縮する方向に当該筋肉を付勢することによって、前記着用者の筋肉の伸縮をサポートする伸縮手段と、緩衝材を着脱自在に内部に収容可能な緩衝材収容手段であって、前記伸縮手段に連結されており、前記伸縮手段による前記筋肉の付勢に伴って、内部に収容された前記緩衝材を変形可能とした緩衝材収容手段と、を備える。
【００７７】
付記１に記載の疲労軽減ウェアによれば、下衣の内層部と外層部との相互間に上衣の下端部を介装するので、上衣の裾が上方に捲れ上がったり、下衣が下方にずり下がったりしてしまう事を防止でき、着用者の腰回りの筋肉を好適に保護する事が可能となる。
【００７８】
付記２に記載の疲労軽減ウェアによれば、外層部と上衣の下端部との接触面に摩擦抵抗増大手段を備えるので、上衣の裾が上方に捲れ上がったり、下衣が下方にずり下がったりしてしまう事を一層防止できる。
【００７９】
付記３に記載の疲労軽減ウェアによれば、巻付け手段による巻付けを解除した際に当該外層部の上端が垂下してしまうことを防止する係止手段を備えるので、外層部の上端が不本意に垂下してしまう事を防止でき、排尿又は排便の際や着替えの際における利便性を向上する事が可能となる。
【００８０】
付記４に記載の疲労軽減ウェアによれば、伸縮手段による筋肉の付勢に伴って、内部に収容された緩衝材を変形させる緩衝材収容手段を備えるので、伸縮手段により筋肉をサポートしつつ緩衝材を着用者の身体に合った形状に変形させる事ができ、緩衝材を着用者の身体に好適に適合させる事が可能となる。
【符号の説明】
【００８１】
１  疲労軽減ウェア
２  着用者
１０  上衣
１１  上半身被覆部
１２  肩ポケット
１２ａ  緩衝材
１３  メッシュ部
１４  肘曲げサポート部
１５  前屈みサポート部
１６  上半身接続部
２０  下衣
３０  内層部
３１  下半身被覆部
３２  膝ポケット
３２ａ  緩衝材
３３  ポンプサポート部
３４  係止部
３４ａ  右側係止部
３４ｂ  左側係止部
４０  外層部
４１  巻付け部
４１ａ  右側突出部
４１ｂ  左側突出部
４１ｃ  フック面
４１ｄ  ループ面
４１ｅ  弾性部材
４２  下半身接続部
５０  疲労軽減ウェア
５１  腕上げサポート部
５１ａ  右腕サポート部
５１ｂ  左腕サポート部
【図１】
0006480766.tif 000002
【図２】
0006480766.tif 000003
【図３】
0006480766.tif 000004
【図４】
0006480766.tif 000005
【図５】
0006480766.tif 000006
【図６】
0006480766.tif 000007
【図７】
0006480766.tif 000008